(57)【要約】【課題】  フリッカーを軽減するためのＰＤＰ駆動方法と駆動装置を提供する。【解決手段】  入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動方法において、  前記フレームの表示に使用されるサブフィールドを特定の加重値を持つサブフィールドを基準にして二つのサブフィールドグループに分離し、前記フレームの期間中の前記サブフィールドが占める期間を除いた残余期間である休止期間を前記分離した二つのサブフィールドグループの間に配置する。【選択図】    図３
2005338860.tif 000002
【特許請求の範囲】
【請求項１】
入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動方法であって、
前記フレームの表示に使用されるサブフィールドを特定の加重値を持つサブフィールドを基準にして二つのサブフィールドグループに分離し、前記フレームの期間中の前記サブフィールドが占める期間を除いた残余期間である休止期間を前記分離した二つのサブフィールドグループの間に配置することを特徴とするプラズマディスプレイパネルの駆動方法。
【請求項２】
入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動方法であって、
前記フレームの表示に使用されるサブフィールドを特定の加重値を持つサブフィールドを基準にして二つのサブフィールドグループに分離し、前記フレームの表示に使用されるサブフィールドの個数によって前記フレームの期間中の前記サブフィールドが占める期間を除いた残余期間である休止期間を、前記分離した二つのサブフィールドグループの間に配置したり、または前記休止期間を二つに分離して、前記分離した二つのサブフィールドグループの間と前記フレームの開始時点とに、各々配置することを特徴とするプラズマディスプレイパネルの駆動方法。
【請求項３】
前記特定の加重値は、前記サブフィールドの個数を変更する場合にフリッカーを発生させるために有効なサブフィールド加重値に設定することを特徴とする請求項１または２に記載のプラズマディスプレイパネルの駆動方法。
【請求項４】
前記特定の加重値は、前記フレームの表示に使用される全てのサブフィールドの加重値の合計の５/１００〜１０/１００範囲中のいずれか一つの数値であることを特徴とする請求項３に記載のプラズマディスプレイパネルの駆動方法。
【請求項５】
前記特定の加重値は、前記フレームの表示に使用される全てのサブフィールドの加重値の合計の７/１００であることを特徴とする請求項４に記載のプラズマディスプレイパネルの駆動方法。
【請求項６】
前記分離されたサブフィールドグループのうちの前記特定の加重値より小さい加重値を持つサブフィールドによって構成されたサブフィールドグループで、最小の加重値を持つサブフィールドの開始時点が前記フレームの開始時点と同じであることを特徴とする請求項１または２に記載のプラズマディスプレイパネルの駆動方法。
【請求項７】
前記分離されたサブフィールドグループのうちの前記特定の加重値以上の加重値を持つサブフィールドによって構成されたサブフィールドグループで、最大の加重値を持つサブフィールドの終了時点が前記フレームの終了時点と同じであることを特徴とする請求項１または２に記載のプラズマディスプレイパネルの駆動方法。
【請求項８】
前記分離されたサブフィールドグループのうちの前記特定の加重値以上の加重値を持つサブフィールドによって構成されたサブフィールドグループで、最大の加重値を持つサブフィールドの終了時点が前記フレームの終了時点より特定時間程度速いことを特徴とする請求項１または２に記載のプラズマディスプレイパネルの駆動方法。
【請求項９】
前記特定時間は、０μｓ〜５００μｓ範囲の時間のうちのいずれか一つの時間であることを特徴とする請求項８に記載のプラズマディスプレイパネルの駆動方法。
【請求項１０】
前記フレームの表示に使用されるサブフィールドの個数が特定個数以上である場合、前記休止期間を前記分離した二つのサブフィールドグループの間に配置し、
前記サブフィールドの個数が特定個数より少ない場合、前記休止期間を二つに分離して前記分離した二つのサブフィールドグループの間と前記フレームの開始時点に各々配置することを特徴とする請求項２に記載のプラズマディスプレイパネルの駆動方法。
【請求項１１】
前記特定個数は、１２個であることを特徴とする請求項１０に記載のプラズマディスプレイパネルの駆動方法。
【請求項１２】
前記サブフィールドの個数が特定個数より少ない場合、前記フレームの開始時点に配置される休止期間は、前記分離したサブフィールドグループのうちの前記特定加重値より少ない加重値を持つサブフィールドによって構成されたサブフィールドグループで、最小の加重値を持つサブフィールドの期間と同じであることを特徴とする請求項２または１０に記載のプラズマディスプレイパネルの駆動方法。
【請求項１３】
前記フレームの開始時点に配置される休止期間は、０μｓ〜１ｍｓの時間範囲のうちのいずれか一つの時間であることを特徴とする請求項１２に記載のプラズマディスプレイパネルの駆動方法。
【請求項１４】
前記二つのサブフィールドグループに各々配置されるサブフィールドは、各サブフィールドの加重値が増加するように配置されることを特徴とする請求項１または２に記載のプラズマディスプレイパネルの駆動方法。
【請求項１５】
前記二つのサブフィールドグループに各々配置されるサブフィールドは、各サブフィールドの加重値が減少するように配置されることを特徴とする請求項１または２に記載のプラズマディスプレイパネルの駆動方法。
【請求項１６】
前記入力映像信号はＮＴＳＣ方式による信号であることを特徴とする請求項１または２に記載のプラズマディスプレイパネルの駆動方法。       
【請求項１７】
入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動装置であって、
前記入力映像信号を利用して画面表示負荷率を検出し、検出した画面表示負荷率によって消費電力を制御するためのＡＰＣレベルを計算して出力するＡＰＣ部と、
前記ＡＰＣ部で計算されたＡＰＣレベルに応じてサブフィールドの数と、各サブフィールドの開始時点及び期間と、維持放電パルスの数を含むデータと、を算出し、前記算出されたデータによって対応するサブフィールド配列構造を生成して出力する時、前記算出されたサブフィールドの数に応じてサブフィールドを特定の加重値を持つサブフィールドを基準に二つのサブフィールドグループに分離し、前記フレームの期間中の前記サブフィールドが占める期間を除いた残余期間である休止期間を前記分離した二つのサブフィールドグループの間に配置するサブフィールド配列構造を生成して出力する維持・走査駆動制御部と、を備えることを特徴とするプラズマディスプレイパネルの駆動装置。
【請求項１８】
入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動装置であって、
前記入力映像信号を利用して画面表示負荷率を検出し、検出した画面表示負荷率によって消費電力を制御するためのＡＰＣレベルを計算して出力するＡＰＣ部と、
前記ＡＰＣ部で計算されたＡＰＣレベルに応じてサブフィールドの数と、各サブフィールドの開始時点及び期間と、維持放電パルスの数と、を含むデータを算出し、前記算出したデータによって対応するサブフィールド配列構造を生成して出力する時、前記算出したサブフィールドの数に応じてサブフィールドを特定の加重値を持つサブフィールドを基準に二つのサブフィールドグループに分離し、前記フレームの表示に使用されるサブフィールドの個数によって前記フレームの期間中の前記サブフィールドが占める期間を除いた残余期間である休止期間を、前記分離した二つのサブフィールドグループの間に配置したり、または前記休止期間を二つに分離して、前記分離した二つのサブフィールドグループの間と前記フレームの開始時点とに各々配置するサブフィールド配列構造を生成して出力する維持・走査駆動制御部と、を備えることを特徴とするプラズマディスプレイパネルの駆動装置。
【請求項１９】
前記維持・走査駆動制御部で算出されたサブフィールドの数と前記入力映像信号を受信し、それに応じてサブフィールドデータを生成するメモリ制御部と、
前記メモリ制御部から出力されるサブフィールドデータに対応するアドレスデータを生成して前記プラズマディスプレイパネルのアドレス電極に印加するアドレス駆動部と、
前記維持・走査駆動制御部から出力されるサブフィールド配列構造に基づいて維持放電パルス及び走査パルスを生成して前記プラズマディスプレイパネルの走査電極と維持電極に印加する維持・走査駆動部と、をさらに備えることを特徴とする請求項１７または１８に記載のプラズマディスプレイパネルの駆動装置。
【請求項２０】
前記特定の加重値は、前記フレームの表示に使用される全てのサブフィールドの加重値の合計の７/１００であることを特徴とする請求項１７または１８に記載のプラズマディスプレイパネルの駆動装置。
【請求項２１】
前記休止期間は、前記維持・走査駆動制御部によって算出されたサブフィールド数と、各サブフィールドの開始時点及び期間と、を含むデータに基づいて算出されることを特徴とする請求項１７または１８に記載のプラズマディスプレイパネルの駆動装置。
【請求項２２】
前記フレームの表示に使用されるサブフィールドの個数が特定個数以上である場合、前記休止期間を前記分離した二つのサブフィールドグループの間に配置し、
前記サブフィールドの個数が前記特定個数より少ない場合、前記休止期間を二つに分離して前記分離した二つのサブフィールドグループの間と前記フレームの開始時点に各々配置することを特徴とする請求項１８に記載のプラズマディスプレイパネルの駆動装置。
【請求項２３】
前記サブフィールドの個数が前記特定個数より少ない場合、前記フレームの開始時点に配置される休止期間は、前記分離されたサブフィールドグループのうちの前記特定加重値より少ない加重値を持つサブフィールドによって構成されたサブフィールドグループで、最小の加重値を持つサブフィールドの期間と同じであることを特徴とする請求項２２に記載のプラズマディスプレイパネルの駆動装置。
【発明の詳細な説明】
【技術分野】
【０００１】
本発明は、プラズマディスプレイパネルの駆動方法と駆動装置に係り、特に休止期間をサブフィールドの間に配置してフリッカーを軽減する技術に関するものである。
【背景技術】
【０００２】
一般に、プラズマディスプレイパネル（以下、"ＰＤＰ"という）は、一つのフレーム期間を複数のサブフィールド期間に分割し、前記複数に分割されたサブフィールドに、互いに一致し、または異なる色々な加重値（即ち、重み）を有する維持放電期間を含ませ、前記サブフィールド毎の加重値を組み合わせて互いに異なる輝度を表すことによって階調を表現する。この時、階調を表現するためのサブフィールドは、その個数が多いほど階調表現力が豊かである。多数のサブフィールドを備えれば、一つのサブフィールドの発光輝度量が、サブフィールド個数が少ない場合に比べて相対的に低減されるために、より精密な階調表現が可能になる。また、各サブフィールド間の相対的な輝度差が少なくなるので、疑似輪郭が低減する効果もある。
【０００３】
しかし、ＰＤＰを利用してＴＶの機能を実現するためには、ＰＤＰに十分な発光輝度特性がなければならない。一般に、ＰＤＰは１〜３ｌｍ/Ｗ程度の発光効率特性を持つ。このようなＰＤＰの輝度を決定する主要因子は１フレーム当りの維持放電に使用される維持放電パルスの個数である。通常、ピーク輝度６５０〜１５００ｃｄ/ｍ２を得るために、１フレーム当り約１４００〜３０００個の維持放電パルスが使用される。１フレーム期間に、この維持放電パルスを用いて駆動しなければ十分な輝度を得ることができない。したがって、十分に多数のサブフィールドを用いて階調を表現することは難しい。普通のＰＤＰＴＶで使用されるサブフィールド個数は最少１０個から最大１６個程度である。
【０００４】
図１は、一般的なプラズマディスプレイパネル駆動方式でのサブフィールド実現例を示すものである。
【０００５】
図１によれば、６ビット階調実現方法として一つのＴＶフレームを６個のサブフィールドに分割し、１サブフィールドごとにアドレス期間（Ａ１、Ａ２、…、Ａ６）と維持放電期間（Ｓ１、Ｓ２、…、Ｓ６）を含ませて構成する。また、一つのフレームの最後の部分には、一般にいかなる放電も発生させない休止期間Ｒを配置する。このような休止期間Ｒは、１フレーム期間中にサブフィールドが占める時間を除いた残余時間に相当する。
【０００６】
以下、映像規格ＮＴＳＣ（米国規格であり、日本・韓国でも使用）のＴＶを例としてサブフィールド展開状況を説明する。
【０００７】
ＮＴＳＣは、毎秒６０フィールド（＝３０フレーム×５２５本）の画面構成であり、1フィールドを構成する時間は１６.６７ｍｓになる。
【０００８】
この限られた時間内に、普通１０個〜１６個程度のサブフィールドが存在し、各サブフィールドはそれぞれ一つのリセット期間、アドレス期間及び維持放電期間を含む。リセット期間は普通２００μｓ程度の時間が必要で、アドレス期間は走査線本数と走査パルス幅の数値を掛け合わせた時間が必要である。例えば、ＳＤ級ＰＤＰの有効画面では、走査線が４８０本で、走査パルス幅は１.７μｓなので、４８０×１．７μｓ=８１６μｓ程度の時間が必要である。一方、維持放電期間はサブフィールド毎に加重値が異なるので、配分されれる維持放電パルスの個数も変わる。維持放電パルスの周期は普通５μｓ程度必要である。前述のように、一つのサブフィールドにおけるリセット期間とアドレス期間は、各サブフィールドの性格に関係なく一定に決められ、例えば、前述の場合には、２００μｓ+８１６μｓ=１０１６μｓ≒１ｍｓ程度とみなすことができる。
【０００９】
一方、ＴＶ用に適したＰＤＰの最大輝度は１０００ｃｄ/ｍ２以上である。したがって、前記最大輝度以上の輝度を実現するためにはＰＤＰの効率を高めたり、多数の維持放電パルスを用いて維持放電を行うことが必要である。現実的な方法として多数の維持放電パルスを使用しており、このような理由で、サブフィールドの個数を増加させることは難しい。
【００１０】
ＰＤＰの高効率化が実現すると、サブフィールド個数を増加させることができるが、現在、ほとんどのＰＤＰ-ＴＶで最も多く使用されているサブフィールドの個数は１０個〜１２個である。また、サブフィールド個数と輝度との関係を、さらに効率的に利用するために映像の平均信号レベル（以下、"ＡＳＬ"という）に基づいてサブフィールド個数を適切に変更する可変サブフィールド方式も使用されている。ここで、ＡＳＬは映像データヒストグラムの平均信号レベル、または負荷率であって、次の数式１により求めることができる。
【数１】
2005338860.tif 000003
【００１１】
ここで、
【数２】
2005338860.tif 000004
【００１２】
は1フレーム中の累積（n=1〜N）を表し、Ｎは画素個数であり、各項は各々、赤色輝度、緑色輝度、青色輝度の各走査線内累積値である。
【００１３】
一方、ＰＤＰでは、その駆動特性上、消費電力が高いので、表示されるフレームのＡＳＬまたは負荷率によって消費電力を制御する自動電力制御（以下、ＡＰＣという）技法が使用される。このようなＡＰＣ技法は、入力映像データの負荷率によって、ＡＰＣレベルを変化させ、各ＡＰＣレベル毎に維持放電パルス数を変化させながら、消費電力を一定レベル以下に制限する方法である。
【００１４】
図２は、一般的なＰＤＰ駆動方式において使用されるＡＰＣ動作時のＰＤＰ階調実現方法を示した図である。
【００１５】
図２によれば、ＡＰＣ段階を大別して３段階に表示した。これは説明のために簡略化したもので、実際の場合には１２８段階、２５６段階などと段階数が多い。
【００１６】
図２で、ＡＰＣが第０段階の場合は、外部から入力される画像のＡＳＬが低い場合であって、結局、画像が全般的に暗い状態であるか画面表示面積が少ないということを意味する。この場合には、消耗電力が少ないので維持放電パルスの数が相対的に多くなるように設定される。反対に、ＡＰＣが第２段階である場合は、画像が明るい状態であるか、または画面表示面積が多い場合であって、消耗電力が増加するために電力消耗抑制のために維持放電パルスの数を減らす方法を取るようになる。したがって、ＡＰＣが第２段階の場合には、一つのフレーム期間中にサブフィールドが占める時間がＡＰＣ第０段階やＡＰＣ第１段階に比べて小さくなるので相対的に休止期間が長くなる。
【００１７】
図２で、消耗電力を抑制するために維持放電期間を減らすことで、完全ＴＶフィールド、つまり、一つのフレーム期間内の休止期間が長くなる。したがって、ＡＰＣ技法に可変サブフィールド方式を適用して前記長くなる休止期間にサブフィールドを追加して、階調表現時の選択重複性を増すことによって、疑似輪郭を減らす方向で実現することもある。
【００１８】
このような可変サブフィールド方式に関する従来技術として特許文献１がある。このような従来技術では、ＡＰＣレベル（ＡＳＬまたは画面表示負荷率、以下、"ＡＰＣレベル"という）によって、１１個のサブフィールドまたは１２個のサブフィールドを選択して階調を表現する方法を使用する。普通ＡＰＣレベルが低い画像（全般的に暗い画像）を表示する場合、最大輝度を得るために１１サブフィールドを使用して階調を表現する。サブフィールド個数が１２個の場合に比べて少ないので相対的に維持放電をすることができる時間が長くなる。したがって、多数の維持放電パルスを用いて最大輝度を得ることができる。ＡＰＣレベルの高い画像（全般的に明るい画像）を表示する場合、ＰＤＰ画面の多くの放電セルが維持放電をするので消費電力が上昇する。したがって、一定の水準の消費電力を維持するために維持放電回数を制限する必要がある。また、明るい画像を表示する場合には、暗い画像を表示する場合に比べると、疑似輪郭が頻繁に現れる。したがって、維持放電回数を減らす代わりに、サブフィールドを一つ増加して１２個サブフィールドを使用して階調を表現する。従来技術では、前記可変サブフィールド方式によってサブフィールドの個数が変わる時に、最大加重値が与えられたサブフィールドの光放出中心点の位置が変動し、画像輝度に異常変動が発生することを防止するために休止期間をフレームの最も前の部分に配置させる。
【特許文献１】韓国公開特許公報第２０００−００７０５２７号明細書
【発明の開示】
【発明が解決しようとする課題】
【００１９】
しかし、従来技術では、画像輝度の異常やフリッカーを防止するために、休止期間をフレームの前の部分に配置することによって、画像輝度の異常やフリッカーがある程度は低減されたが、サブフィールドの個数が少ない場合の各サブフィールドに割当られた加重値が、サブフィールドの個数が多い場合の各サブフィールドに割当された加重値よりさらに大きいので、最大加重値を持つサブフィールドの終了時点が同じでも残余サブフィールドの発光位置が変動するため、サブフィールド個数が変更されるＡＰＣレベルでサブフィールドが変更されると、依然としてフリッカーが発生するので、商品品質向上のためにフリッカーを軽減しなければならないという問題がある。
【００２０】
本発明が解決しようとする技術的課題は、フリッカーを軽減するためのＰＤＰ駆動方法と駆動装置を提供することである。
【課題を解決するための手段】
【００２１】
前記課題を解決するための本発明の一つの特徴によるプラズマディスプレイパネルの駆動方法は、入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動方法であって、前記フレームの表示に使用されるサブフィールドを特定の加重値を持つサブフィールドを基準にして二つのサブフィールドグループに分離し、前記フレーム期間中の前記サブフィールドが占める期間を除いた残余期間である休止期間を前記分離した二つのサブフィールドグループの間に配置することを特徴とする。
【００２２】
本発明の他の特徴によるプラズマディスプレイパネルの駆動方法は、入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動方法であって、前記フレームの表示に使用されるサブフィールドを特定の加重値を持つサブフィールドを基準にして二つのサブフィールドグループに分離し、前記フレームの表示に使用されるサブフィールドの個数によって前記フレームの期間中の前記サブフィールドが占める期間を除いた残余期間である休止期間を前記分離した二つのサブフィールドグループの間に配置したり、または前記休止期間を二つに分離して前記分離した二つのサブフィールドグループの間と前記フレームの開始時点に各々配置することを特徴とする。
【００２３】
ここで、前記特定の加重値は、前記サブフィールドの個数を変更する場合にフリッカーを発生させるために有効なサブフィールド加重値として設定されることを特徴とする。
【００２４】
また、前記特定の加重値は、前記フレームの表示に使用される全てのサブフィールドの加重値の合計の５/１００乃至１０/１００の範囲中のいずれか一つの数値であることを特徴とする。
【００２５】
また、前記特定の加重値は、前記フレームの表示に使用される全てのサブフィールドの加重値の合計の７/１００であることを特徴とする。
【００２６】
また、前記分離されたサブフィールドグループのうちの前記特定の加重値より小さい加重値を持つサブフィールドによって構成されたサブフィールドグループにおいて、最小の加重値を持つサブフィールドの開始時点が前記フレームの開始時点と同じであることを特徴とする。
【００２７】
また、前記分離されたサブフィールドグループのうちの前記特定の加重値以上の加重値を持つサブフィールドから構成されたサブフィールドグループにおいて、最大の加重値を持つサブフィールドの終了時点が前記フレームの終了時点と同じであることを特徴とする。
【００２８】
また、前記分離されたサブフィールドグループのうちの前記特定の加重値以上の加重値を持つサブフィールドから構成されたサブフィールドグループにおいて、最大の加重値を持つサブフィールドの終了時点が前記フレームの終了時点より特定時間だけ早いことを特徴とする。
【００２９】
また、前記特定時間は、０μｓから５００μｓの時間範囲のうちのいずれか一つの時間であることを特徴とする。
【００３０】
また、前記フレームの表示に使用されるサブフィールドの個数が特定個数以上である場合、前記休止期間を前記分離した二つのサブフィールドグループの間に配置し、前記サブフィールドの個数が特定個数より少ない場合、前記休止期間を二つに分離して、前記分離された二つのサブフィールドグループの間と前記フレームの開始時点とに、各々配置することを特徴とする。
【００３１】
また、前記特定個数は、１２個であることを特徴とする。
【００３２】
また、前記サブフィールドの個数が特定個数より少ない場合、前記フレームの開始時点に配置される休止期間は、前記分離されたサブフィールドグループのうちの前記特定加重値より少ない加重値を持つサブフィールドから構成されたサブフィールドグループにおいて、最小の加重値を持つサブフィールドの期間と同じであることを特徴とする。
【００３３】
また、前記フレームの開始時点に配置される休止期間は、０μｓ〜１ｍｓの時間範囲のうちのいずれか一つの時間であることを特徴とする。
【００３４】
前記駆動方法を実現するための本発明の一つの特徴によるプラズマディスプレイパネルの駆動装置は、入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動装置であって、前記入力映像信号を用いて画面表示負荷率を検出し、検出した画面表示負荷率によって消費電力を制御するためのＡＰＣレベルを計算して出力するＡＰＣ部と、前記ＡＰＣ部で計算されたＡＰＣレベルに応じてサブフィールド個数と、各サブフィールドの開始時点及び期間と、維持放電パルス個数と、を含むデータを算出し、前記算出されたデータによって対応するサブフィールド配列構造を生成して出力する時、前記算出されたサブフィールド個数に応じてサブフィールドを特定の加重値を持つサブフィールドを基準に二つのサブフィールドグループに分離し、前記フレームの期間中の前記サブフィールドが占める期間を除いた残余期間である休止期間を前記分離した二つのサブフィールドグループの間に配置するサブフィールド配列構造を生成して出力する維持・走査駆動制御部と、を備えることを特徴とする。
【００３５】
本発明のまた他の特徴によるプラズマディスプレイパネルの駆動装置は、入力映像信号に応じてプラズマディスプレイパネルに表示する各フレームの画像を複数個のサブフィールドに分割し、これらのサブフィールドに与えられた加重値を組み合わせて階調を表現し、前記入力映像信号によって判断される画面表示負荷率によってフレームの表示に使用されるサブフィールドの個数を変更するプラズマディスプレイパネルの駆動装置であって、前記入力映像信号を用いて画面表示負荷率を検出し、検出した画面表示負荷率によって消費電力を制御するためのＡＰＣレベルを計算して出力するＡＰＣ部と、前記ＡＰＣ部で計算されたＡＰＣレベルに応じてサブフィールドの数と、各サブフィールドの開始時点及び期間と、維持放電パルス個数と、を含むデータを算出し、前記算出したデータによって対応するサブフィールド配列構造を生成して出力する時、前記算出したサブフィールド個数に応じてサブフィールドを特定の加重値を持つサブフィールドを基準に二つのサブフィールドグループに分離し、前記フレームの表示に使用されるサブフィールドの個数によって前記フレームの期間中の前記サブフィールドが占める期間を除いた残余期間である休止期間を前記分離した二つのサブフィールドグループの間に配置したり、または前記休止期間を二つに分離して前記分離した二つのサブフィールドグループの間と前記フレームの開始時点に各々配置するサブフィールド配列構造を生成して出力する維持・走査駆動制御部と、を備えることを特徴とする。
【発明の効果】
【００３６】
本発明によると、可変サブフィールド方式によってＰＤＰを駆動する場合、サブフィールドの個数の変更によって発生するフリッカーを低減することができる。
【００３７】
また、可変サブフィールド方式によってサブフィールドの個数が変更される場合、サブフィールドの個数が少ないフレームの休止期間を分離して配置することによってフリッカー発生をさらに低減させることができる。
【００３８】
また、サブフィールドの中に、つまり、フレームの中心部分に休止期間が位置するのでサブフィールドでの放電が有利になる。
【発明を実施するための最良の形態】
【００３９】
本発明が解決しようとする技術的課題は、従来の問題点を解決するためのものであって、サブフィールド毎の加重値を基準にして２つのサブフィールドグループに分離した後、２つのサブフィールドグループの間に休止期間を配置するＰＤＰの駆動方法とその装置を提供することである。
【００４０】
また他の課題は、サブフィールド毎の加重値を基準にして２つのサブフィールドグループに分離した後、２つのサブフィールドグループの間とフレームの前の部分とに、休止期間を各々配置するＰＤＰの駆動方法とその装置を提供することである。ここで、本願での「発光位置」とは、光放出中心点の位置を意味し、光放出中心点とは、任意のサブフィールドにおける維持放電期間のリーディングエッジ（leading edge）である光放出開始時点と、該当サブフィールドにおける維持放電期間のトレーリングエッジ（trailing edge）である光放出終了時点との間の中心点を意味する。
【００４１】
以下、添付図面を参照しながら、本発明の実施例について詳細に説明する。本明細書及び図面において、実質的に同一の機能構成を有する構成要素については、同一の符号を付することにより重複説明を省略する。
【００４２】
図３は、本発明の第１実施例によるＰＤＰの駆動方法の概念を表した図である。
【００４３】
図３に示すように、本発明の第１実施例によるＰＤＰの駆動方法では、一つのフレームを構成するサブフィールドを２つのサブフィールドグループに分離し、分離された２つのサブフィールドグループの間に休止期間を配置する。この時、２つのサブフィールドグループに分離する基準は、各サブフィールドの加重値であって、サブフィールドの加重値が特定加重値より小さいと、一つのフレームのうちの前の部分に位置するサブフィールドグループ（以下、"第１サブフィールドグループ"という）に配置して、特定加重値より大きいと、一つのフレームのうちの後の部分に位置するサブフィールドグループ（以下、"第２サブフィールドグループ"という）に配置するように分離する。ここで、特定加重値と同じ加重値を持つサブフィールドは、どちらのサブフィールドグループに配置させても良い。ここでは第２サブフィールドグループに配置するものとして説明する。
【００４４】
このように、特定の画面負荷率を基準にして、階調表示に使用されるサブフィールドの個数が変更されても、２つに分離されたサブフィールドグループの間に休止期間を配置させることによって、２つのサブフィールドグループの発光位置変動が最少化されるので、サブフィールドの個数が変更される場合に発生するフリッカーを最少化することができる。
【００４５】
また、２つに分離されたサブフィールドグループに配置されるサブフィールドは各加重値が増加する順序、または減少する順序に配置される。
【００４６】
本発明の実施例で、２つのサブフィールドグループに分離する基準となる特定加重値は、サブフィールドの個数が変更される時にフリッカーを発生させ易いサブフィールド加重値であって、フリッカーを発生させ易い状態を選んでフリッカー軽減操作を行うためのものである。このような特定加重値は、統計的方法や実験的方法で求めることが可能であり、本発明の実施例では、全てのサブフィールドの加重値の合計の７/１００=０．０７であると想定して説明する。つまり、サブフィールドの全ての加重値が２５５の場合には１７．８５≒１８であり、５１１の場合には３５．７７≒３６であり、１０２３の場合には７１．６１≒７２となる。一方、前記では特定加重値を、全てのサブフィールドの加重値の合計の７/１００と想定して説明したが、前記特定加重値はＰＤＰの設計仕様によって他の数値、例えば全てのサブフィールドの加重値の合計の５/１００〜１０/１００の範囲以内に変更することもできる。
【００４７】
例えば、図３に示すように、サブフィールドの全ての加重値の合計が２５５であるので、サブフィールドの加重値１８を基準にして、２つのサブフィールドグループ、つまり、第１サブフィールドグループと第２サブフィールドグループに分離して、その間に休止期間を配置する。例えば、サブフィールドの個数が１２個である場合、サブフィールドの加重値が１８より小さいサブフィールドＳＦ１乃至サブフィールドＳＦ６は第１サブフィールドグループに属して、１８より大きいサブフィールドＳＦ７乃至サブフィールドＳＦ１２は第２サブフィールドグループに属する。そして、その間、つまり、サブフィールドＳＦ６とサブフィールドＳＦ７の間に休止期間が配置される。また、サブフィールドの個数が１１である場合、サブフィールドの加重値が１８より小さいサブフィールドＳＦ１乃至サブフィールドＳＦ５は第１サブフィールドグループに属して、１８より大きいサブフィールドＳＦ６乃至サブフィールドＳＦ１１は第２サブフィールドグループに属する。そしてその間、つまり、サブフィールドＳＦ５とサブフィールドＳＦ６の間に休止期間が配置される。
【００４８】
このように、休止期間が２つのサブフィールドグループの間に配置されることによって、特に第１サブフィールドグループの位置変動が従来に比べて少ないので２つのサブフィールドグループの発光位置変動が最少化できる。
【００４９】
図４は、本発明の第２実施例によるＰＤＰの駆動方法の概念を表した図である。
【００５０】
図４に示すように、本発明の第２実施例によるＰＤＰの駆動方法では、サブフィールドの個数によって休止期間の配置を異なるようにすることを特徴としている。より具体的には、サブフィールドの個数によって、本発明の第１実施例のように２つに分離されたサブフィールドグループの間に配置することと、これとは違って休止期間を２つに分離して、一つは２つに分離されたサブフィールドグループの間に配置して、残り一つは一つのフレームの開始時点、つまり、第１サブフィールドグループの前の部分に配置することで区分する。結局、サブフィールドの個数が所定個数以上である場合には、本発明の第１実施例のように２つに分離されたサブフィールドグループの間に配置して、所定個数より小さい場合には休止期間を２つに分離して、一つは２つに分離されたサブフィールドグループの間に配置して、残り一つは一つのフレームの開始時点、つまり、第１サブフィールドグループの前の部分に配置する。
【００５１】
図４を参照すれば、まず、サブフィールドの個数に関係なくサブフィールドを特定加重値、例えば全てのサブフィールドの加重値の合計の７/１００を基準に２つのサブフィールドグループに分離する。その後、サブフィールドの個数が１２個である場合には、本発明の第１実施例と同様に休止期間を第１サブフィールドグループと第２サブフィールドグループの間に配置し、サブフィールドの個数が１１である場合には、休止期間を２つに分離した後、一つは本発明の第１実施例と同様に第１サブフィールドグループと第２サブフィールドグループの間に配置し、残り一つは一つのフレームの開始時点と第１サブフィールドグループの開始時点、つまり、第１サブフィールドグループの前の部分に配置する。結局、サブフィールドの個数が少ない場合には休止期間が大きくなるので、分離されたサブフィールドグループの間及びフレーム開始時点２ケ所に休止期間を分離して配置する。
【００５２】
一方、サブフィールドの個数が１１である場合に休止期間を２つに分離して配置するが、この時、第１サブフィールドグループの前の部分に配置される休止期間は第１サブフィールドＳＦ１の時間（約１ｍｓ）と同じであるように設定するのが好ましい。このようにすることで、サブフィールドの個数が１２から１１に変更される場合、第１サブフィールドＳＦ１の時間（１ｍｓ）に相当する時間程度第１サブフィールドグループの発光位置の移動を防止し、相対的に輝度発光量が少ないサブフィールドグループ（即ち、第１サブフィールドグループ）の発光位置変更によって発生するフリッカーをさらに低減することができる。即ち、発光位置の移動量が低減される。
【００５３】
一方、前述では、第１サブフィールドグループの前の部分に配置される休止期間の時間を第１サブフィールドの期間と同じであるように設定したが、本発明の技術的範囲はこれに限定されるものではなく、サブフィールドの加重値がさらに大きくてフリッカー発生可能性がさらに高いサブフィールドの位置移動を防止するために第１サブフィールドグループの最後のサブフィールド、つまり、第１サブフィールドグループで加重値が最も大きいサブフィールドの終了時点が、サブフィールドの個数が１２から１１に変更されても同じであるように固定しても良い。
【００５４】
図５は本発明の実施例によるＰＤＰの駆動装置のブロック図である。
【００５５】
図５に示すように、本発明の実施例によるＰＤＰの駆動装置は、映像信号処理部１００、ＡＰＣ部２００、維持・走査駆動制御部３００、維持・走査パルス駆動部４００、メモリ制御部５００及びアドレス駆動部６００を備える。
【００５６】
映像信号処理部１００は、外部から入力される映像信号をデジタル化してデジタル映像データを生成する。
【００５７】
ＡＰＣ部２００は、映像信号処理部１００から出力される映像データを使用してＡＳＬまたは画面表示負荷率を検出して、検出されたＡＳＬや負荷率によってＡＰＣレベルを計算して出力する。
【００５８】
維持・走査駆動制御部３００は、ＡＰＣ部２００で計算されたＡＰＣレベルに対応するサブフィールド数、各サブフィールドの開始時点及び期間、維持放電パルスの数などを算出して、算出されたデータによって対応するサブフィールド配列構造を生成して出力する。この時、維持・走査駆動制御部３００は、前記算出されたサブフィールド数、各サブフィールドの開始時点及び期間などを利用して休止期間を算出して、算出された休止期間を前記説明した本発明の第１実施例または第２実施例によって分離したサブフィールドグループの間または第１サブフィールドグループの前の部分に配置してサブフィールド配列構造を生成する。
【００５９】
各フレーム毎の休止期間は、総フレーム時間からＡＰＣ部２００で算出されたサブフィールド数、各サブフィールドの期間などに基づいて算出される総サブフィールドの期間を引いて算出することができる。
【００６０】
また、算出されたサブフィールド数による総サブフィールドを、既に設定されている特定加重値、例えばサブフィールドの加重値の総合の７/１００を基準に２つのサブフィールドグループ、つまり、特定加重値を基準にフレームのうちで前の部分に位置する第１サブフィールドグループと後の部分に位置する第２サブフィールドグループに分離する。
【００６１】
その後、維持・走査駆動制御部３００で算出された休止期間を本発明の第１実施例のように、前記分離された第１サブフィールドグループと第２サブフィールドグループの間に配置させる。
【００６２】
または、本発明の第２実施例のように、前記算出された休止期間を２つの休止期間に分離して、その中で一つの休止期間、例えば第１サブフィールドＳＦ１の時間に相当する時間をもつ休止期間をフレームの開始時点と前記分離された第１サブフィールドグループの間に配置して、残り休止期間を第１サブフィールドグループと第２サブフィールドグループの間に配置する。
【００６３】
維持・走査駆動部４００は、維持・走査駆動制御部３００から出力されるサブフィールド配列構造に基づいて維持放電パルス及び走査パルスを生成してＰＤＰ７００の走査電極（Ｘ１、Ｘ２、…、Ｘｎ）と維持電極（Ｙ１、Ｙ２、…、Ｙｎ）に印加する。なお、図５に記す記号ｎは、数式１の記号ｎとは異なる意味を持つ。
【００６４】
メモリ制御部５００は、映像信号処理部１００から出力されるデジタル映像データと維持・走査駆動制御部３００で算出されたサブフィールド数を受信して、それに応じてサブフィールドデータを生成する。
【００６５】
アドレス駆動部６００は、メモリ制御部５００から出力されるサブフィールドデータに応じてアドレスデータを生成してＰＤＰ７００のアドレス電極（Ａ１、Ａ２、…、Ａｍ）に印加する。
【００６６】
以上、本発明の好適な実施例について詳細に説明したが、本発明は上記の実施例に限定されることなく、請求範囲で定義されている本発明の基本概念を利用した様々な変形や等価物も本発明の範囲に入る。
【００６７】
例えば、上記では、特定加重値以上の加重値を持つサブフィールドで構成された第２サブフィールドグループで最大加重値を持つサブフィールドの終了時点が、一つのフレームの終了時点と同じものであると説明したが、本発明の技術的範囲はこれに限定されるものではなく、前記第２サブフィールドグループで最大加重値を持つサブフィールドの終了時点が、一つのフレームの終了時点より０μｓ〜５００μｓ早く終了することもできる。なお、この終了先行時間範囲は、本来ならば連続的な時間範囲であるが、実情はデジタル処理によって離散的で計数可能な時刻集合になっているので“最大加重値を持つサブフィールドの終了時点が、一つのフレームの終了時点より、０μｓから５００μｓの時間範囲のうちのいずれか一つの時間だけ早く終了する。”と表現できる。
【００６８】
また、上記では特定加重値を基準にして、フレームの表示に使用されるサブフィールドを二つのサブフィールドグループに分離して、その間、またはその間と第１サブフィールドグループの前の部分に休止期間を配置することだけを説明したが、本発明の技術的範囲はこれに限定されるものではなく、全てのサブフィールドを所定個数の特定加重値を基準に各々複数個のサブフィールドグループに分離して、また、各フレームの休止期間を前記所定個数に分離して前記分離された複数個のサブフィールドグループの間に各々配置したり、または休止期間を前記分離されたサブフィールドグループの個数に分離して前記分離された複数個のサブフィールドグループの間と前記複数個のサブフィールドグループのうちの第１サブフィールドグループの前の部分に各々配置することができることは、上記説明を参照すると当業者によって容易に分かるはずである。
【００６９】
また、二つのサブフィールドグループに各々配置されるサブフィールドは、各サブフィールドの加重値が減少するように配置されても良い。
【図面の簡単な説明】
【００７０】
【図１】一般的なプラズマディスプレイパネル駆動方式でのサブフィールド実現例を表した図である。
【図２】一般的なＰＤＰ駆動方式で使用されるＡＰＣ動作の時のＰＤＰ階調実現方法を表した図である。
【図３】本発明の第１実施例によるＰＤＰの駆動方法の概念を表した図である。
【図４】本発明の第２実施例によるＰＤＰの駆動方法の概念を表した図である。
【図５】本発明の実施例によるＰＤＰの駆動装置のブロック図である。
【符号の説明】
【００７１】
１００      映像信号処理部
２００      ＡＰＣ部
３００      維持・走査駆動制御部
４００      維持・走査駆動部
５００      メモリ制御部
６００      アドレス駆動部
７００      プラズマディスプレイパネル
【図１】
2005338860.tif 000005
【図２】
2005338860.tif 000006
【図３】
2005338860.tif 000007
【図４】
2005338860.tif 000008
【図５】
2005338860.tif 000009